(57)【要約】【課題】橋梁部の伸縮に対応して遮音壁自体が伸縮可能な構造の伸縮部用遮音壁を提供する。【解決手段】橋梁部の縦断方向所要間隔おきに立設された横断面Ｈ形支柱１，１間に橋梁部の伸縮継目部Ｔが位置し、この伸縮継目部Ｔを挟んで隣り合う支柱１，１間に遮音パネルを上下複数段に取り付けてなる橋梁部の伸縮部用遮音壁であって、遮音パネルは、橋梁部縦断方向に互いに伸縮スライド可能に接続された３つのパネル部材からなり、両側２つのパネル部材を隣り合う支柱１，１に夫々固定し、これら両パネル部材に中間のパネル部材をスライド可能に支持してなる。【選択図】図１
2007126930.tif 000002
【特許請求の範囲】
【請求項１】
橋梁部の縦断方向所要間隔おきに立設された横断面Ｈ形支柱間に橋梁部の伸縮継目部が位置し、この伸縮継目部を挟んで隣り合う支柱間に遮音パネルを上下複数段に取り付けてなる橋梁部の伸縮部用遮音壁であって、
遮音パネルは、橋梁部縦断方向に互いに伸縮スライド可能に接続された２つのパネル部材からなり、一方のパネル部材を隣り合う支柱の一方側に固定し、他方のパネル部材を他方の支柱に固定してなる橋梁部の伸縮部用遮音壁。
【請求項２】
橋梁部の縦断方向所要間隔おきに立設された横断面Ｈ形支柱間に橋梁部の伸縮継目部が位置し、この伸縮継目部を挟んで隣り合う支柱間に遮音パネルが上下複数段に取り付けてなる橋梁部の伸縮部用遮音壁であって、
遮音パネルは、橋梁部縦断方向に互いに伸縮スライド可能に接続された３つのパネル部材からなり、両側２つのパネル部材を隣り合う支柱に夫々固定し、これら両パネル部材に中間のパネル部材をスライド可能に支持してなる橋梁部の伸縮部用遮音壁。
【請求項３】
遮音パネルは、隣り合う支柱間における騒音発生側に面する前面側に取り付けられる前面遮音パネルと、その背面側に取り付けられた背面遮音パネルとからなり、前面遮音パネル及び背面遮音パネルの夫々が、橋梁部縦断方向に互いに伸縮スライド可能に接続された２つ又は３つのパネル部材からなる請求項１又は２に記載の橋梁部の伸縮部用遮音壁。
【請求項４】
前面遮音パネルの各パネル部材は、表面板部と、表面板部の上端部及び下端部に夫々一体形成された上枠部及び下枠部とからなる請求項３に記載の橋梁部の伸縮部用遮音壁。
【請求項５】
前面遮音パネルのパネル部材を形成する下枠部の背面側には、隣り合う支柱間に前面遮音パネルが上下複数段に取り付けられる際に下段側前面遮音パネルの上端部背面側に接するように差し込まれる差込支持片が突設されている請求項４に記載の橋梁部の伸縮部用遮音壁。
【請求項６】
前面遮音パネルの各パネル部材を形成する上枠部及び下枠部は、夫々水平でははなく、夫々後端から前端側へ向かって上り傾斜面状に形成されている請求項５に記載の橋梁部の伸縮部用遮音壁。
【請求項７】
背面遮音パネルの下端部には、隣り合う支柱間に背面遮音パネルが上下複数段に取り付けられる際に下段側背面遮音パネルの上端部前面側に接するように差し込まれる差込支持片が突設されている請求項３〜６の何れかに記載の橋梁部の伸縮部用遮音壁。
【発明の詳細な説明】
【技術分野】
【０００１】
本発明は、橋梁部の縦断方向所要間隔おきに立設された横断面Ｈ形支柱間に橋梁部の伸縮継目部が位置し、この伸縮継目部を挟んで隣り合う支柱間に遮音パネルを取り付けることにより形成される橋梁部の伸縮部用遮音壁に関する。
【背景技術】
【０００２】
高速道路や鉄道等として構築される橋梁部は、夏季には気温の上昇により膨張し、冬季には気温の低下によって収縮することから、橋梁部の所要長さおきにそのような膨張収縮を吸収するための伸縮継目部（伸縮可能な間隙部）が設けられている。
【０００３】
橋梁部に遮音壁を設置するには、橋梁部の両サイドに夫々橋梁部縦断方向所要間隔おきに立設された横断面Ｈ形支柱間に遮音パネルを上下複数段に取り付けることによって遮音壁を構築しているが、従来、支柱間に伸縮継目部が位置していても、その支柱間の遮音壁部には伸縮継目部に対応する伸縮手段が特に施されておらず、横断面Ｈ形支柱のフランジ部で形成されるパネルののみ込み代で橋梁部の伸縮を吸収させていた。しかしながら、支柱ののみ込み代内でパネルが意図したように挙動しなかった。
【発明の開示】
【発明が解決しようとする課題】
【０００４】
本発明は、上記の課題に鑑み、橋梁部の伸縮に対応して遮音壁自体が伸縮可能な構造の伸縮部用遮音壁を提供することを目的とする。
【課題を解決するための手段】
【０００５】
上記課題を解決するための手段を、後述する実施形態の参照符号を付して説明すると、請求項１に係る発明は、橋梁部の縦断方向所要間隔おきに立設された横断面Ｈ形支柱１，１間に橋梁部の伸縮継目部Ｔが位置し、この伸縮継目部Ｔを挟んで隣り合う支柱１，１間に遮音パネルを上下複数段に取り付けてなる橋梁部の伸縮部用遮音壁であって、遮音パネルは、橋梁部縦断方向に互いに伸縮スライド可能に接続された２つのパネル部材からなり、一方のパネル部材を隣り合う支柱の一方側に固定し、他方のパネル部材を他方の支柱に固定してなることを特徴とする。
【０００６】
請求項２に係る発明は、橋梁部の縦断方向所要間隔おきに立設された横断面Ｈ形支柱１，１間に橋梁部の伸縮継目部Ｔが位置し、この伸縮継目部Ｔを挟んで隣り合う支柱１，１間に遮音パネルが上下複数段に取り付けてなる橋梁部の伸縮部用遮音壁であって、遮音パネルは、橋梁部縦断方向に互いに伸縮スライド可能に接続された３つのパネル部材からなり、両側２つのパネル部材を隣り合う支柱に夫々固定し、これら両パネル部材に中間のパネル部材をスライド可能に支持してなることを特徴とする。
【０００７】
請求項３は、請求項１又は２に記載の橋梁部の伸縮部用遮音壁において、遮音パネルは、隣り合う支柱１，１間における騒音発生側に面する前面側に取り付けられる前面遮音パネル２Ａと、その背面側に取り付けられた背面遮音パネル３Ａとからなり、前面遮音パネル２Ａ及び背面遮音パネル３Ａの夫々が、橋梁部縦断方向に互いに伸縮スライド可能に接続された２つ又は３つのパネル部材３１ａ，３２ａ及びパネル部材３１ｂ，３２ｂからなることを特徴とする。
【０００８】
請求項４は、請求項３に記載の橋梁部の伸縮部用遮音壁において、前面遮音パネル２Ａの各パネル部材３１ａ，３２ａは、表面板部イ，イ′と、表面板部イ，イ′の上端部及び下端部に夫々一体形成された上枠部ロ，ロ′及び下枠部ハ，ハ′とからなることを特徴とする。
【０００９】
請求項５は、請求項４に記載の橋梁部の伸縮部用遮音壁において、前面遮音パネル２Ａのパネル部材３１ａ，３２ａを形成する下枠部ハ，ハ′の背面側には、隣り合う支柱１，１間に前面遮音パネル２Ａが上下複数段に取り付けられる際に下段側前面遮音パネル２Ａの上端部背面側に接するように差し込まれる差込支持片１５，１５′が突設されていることを特徴とする。
【００１０】
請求項６は、請求項５に記載の橋梁部の伸縮部用遮音壁において、前面前面遮音パネル２Ａの各パネル部材３１ａ，３２ａを形成する上枠部ロ，ロ′及び下枠部ハ，ハ′は、夫々水平ではなく、夫々後端から前端側へ向かって上り傾斜面状に形成されていることを特徴とする。
【００１１】
請求項７は、請求項３〜６の何れかに記載の橋梁部の伸縮部用遮音壁において、背面遮音パネル３Ａの下端部には、隣り合う支柱１，１間に背面遮音パネル３Ａが上下複数段に取り付けられる際に下段側背面遮音パネル３Ａの上端部前面側に接するように差し込まれる差込支持片１８，１８′が突設されていることを特徴とする。
【発明の効果】
【００１２】
上記解決手段による発明の効果を、後述する実施形態の参照符号を付して説明すると、請求項１に係る発明によれば、遮音パネルが、橋梁部縦断方向に互いに伸縮スライド可能に接続された２つのパネル部材からなり、一方のパネル部材を隣り合う支柱の一方側に固定し、他方のパネル部材を他方の支柱に固定してなるため、橋梁部が気温の変化によって縦断方向に伸縮しても、２つのパネル部材が互いに伸縮スライドして、遮音パネルの破損を防止することができ、また遮音パネルが２つのパネル部材よりなることから、遮音パネルの構造が簡単となる。
【００１３】
請求項２に係る発明によれば、遮音パネルが、橋梁部縦断方向に互いに伸縮スライド可能に接続された３つのパネル部材からなるもので、両側２つのパネル部材を隣り合う支柱に夫々固定し、これら両パネル部材に中間のパネル部材を伸縮スライド可能に支持するから、橋梁部が気温の変化によって縦断方向に伸縮しても、両側のパネル部材と中間のパネル部材とが互いに伸縮スライドして、遮音パネルの破損を防止することができ、また中間のパネル部材を両パネル部材に伸縮スライド可能に支持させることにより、遮音パネルが構造的に安定なものとなる。
【００１４】
請求項３に係る発明によれば、遮音パネルが、支柱１，１間における騒音発生側に面する前面側に取り付けられる前面遮音パネル２Ａと、その背面側に取り付けられた背面遮音パネル３Ａとからなり、前面遮音パネル２Ａ及び背面遮音パネル３Ａの夫々が、橋梁部縦断方向に互いに伸縮スライド可能に接続された２つ又は３つのパネル部材３１ａ，３２ａ及びパネル部材３１ｂ，３２ｂからなるため、隣り合う両支柱１，１と前面遮音パネル２Ａと背面遮音パネル３Ａとによって形成される空間部が空気層となり、この空気層によって伸縮部用遮音壁Ａの吸音効果を向上させることができる。
【００１５】
請求項４に係る発明によれば、前面遮音パネル２Ａの各パネル部材３１ａ，３２ａが、表面板部イ，イ′と、表面板部イ，イ′の上端部及び下端部に夫々一体形成された上枠部ロ，ロ′及び下枠部ハ，ハ′とからなるため、各パネル部材３１ａ，３２ａの製作が容易になると共に、各パネル部材３１ａ，３２ａの構造的に頑強なものとなる。
【００１６】
請求項５に係る発明によれば、前面遮音パネル２Ａを支柱１，１間に複数段に取り付ける際に、前面遮音パネル２Ａの差込支持片１５，１５′を下段側前面遮音パネル２Ａの上端部背面側に接するように差し込むことによって、前面遮音パネル２Ａの下端部を下段側前面遮音パネル２Ａの上端部に固定でき、それにより各前面遮音パネル２Ａは、その上端部のみを支柱１のフランジ部１ｂにボルト２４止めすればよく、従って取付作業が簡単となる。
【００１７】
請求項６に係る発明によれば、前面遮音パネル２Ａの各パネル部材３１ａ，３２ａを形成する上枠部ロ，ロ′及び下枠部ハ，ハ′は、夫々水平ではなく、夫々後端から前端側へ向かって上り傾斜面状に形成されているから、支柱１に対し複数段に取り付けてある前面遮音パネル２Ａ…の中間部の前面遮音パネル２Ａが破損した場合に、その前面遮音パネル２Ａを支柱１に固定しているボルト２４を抜き取った後、当該前面遮音パネル２Ａを、下端部を中心に前方側へ適宜に揺動回転させた後、斜め上方へ引き上げることによって、容易に取り外すことができる。
【００１８】
請求項７に係る発明によれば、隣り合う支柱１，１間に背面遮音パネル３Ａを複数段に取り付ける際に、背面遮音パネル３Ａの差込支持片１８，１８′を、下段側背面遮音パネル３Ａの上端部前面に接するように差し込むことによって、背面遮音パネル３Ａの下端部を下段側背面遮音パネル３Ａの上端部に固定でき、それによって各背面遮音パネル３Ａは、上端部のみを支柱１のフランジ部１ｃにボルト２２止めすればよく、従って取付作業が非常に簡単となる。
【発明を実施するための最良の形態】
【００１９】
本発明の好適実施形態を図面に基づいて説明すると、図１の(a) は橋梁部の伸縮部用遮音壁Ａと標準部遮音壁Ｂを示す正面図、(b) は左側面図であり、図２の(a) は伸縮部用遮音壁Ａ及び標準部遮音壁Ｂの背面図、(b) は左側面図、図３は図１の(a) のＸ−Ｘ線拡大断面図であり、図４の(a) は標準部遮音壁Ｂの前面遮音パネル２の一部破断正面図、(b)
は左側面図であり、図５の(a) は標準部遮音壁Ｂの背面遮音パネル３の正面図、(b) は左側面図である。
【００２０】
先ず、標準部遮音壁Ｂは、図１〜図３に示すように、橋梁部の縦断方向所要間隔おきに立設された横断面Ｈ形支柱１と、隣り合う支柱１，１間における騒音発生側に面する前面側に上下複数段に取り付けられた前面遮音パネル２と、その背面側に上下複数段に取り付けられた背面遮音パネル３と、これら前面遮音パネル２と背面遮音パネル３との間に形成される空気層４と、前面遮音パネル２と背面遮音パネル３の上端部を覆う上カバー５と、その下端部を塞ぐ下カバー６とから構成される。
【００２１】
そして、伸縮部用遮音壁Ａは、図１〜図３に示すように、支柱１，１間に橋梁部の伸縮継目部Ｔが位置し、この伸縮継目部Ｔを挟んで隣り合う支柱１，１間に伸縮継目部用の遮音パネルを上下複数段に取り付けてなる橋梁部の伸縮部用遮音壁であって、この伸縮継目部用遮音パネルは、伸縮継目部Ｔを挟んで隣り合う支柱１，１間における騒音発生側に面する前面側に取り付けられる前面遮音パネル２Ａと、その背面側に取り付けられた背面遮音パネル３Ａとから構成されるもので、前面遮音パネル２Ａは、橋梁部縦断方向に互いに伸縮可能に接続された３つのパネル部材３１ａ，３２ａ，３１ａからなり、また背面遮音パネル３は、橋梁部縦断方向に互いに伸縮可能に接続された３つのパネル部材３１ｂ，３２ｂ，３１ｂからなる。
【００２２】
以下に、上記構成部材について詳細に説明すると、支柱１は、図３及び図６に示すようにウエブ１ａと両側のフランジ部１ｂ，１ｃからなるＨ形鋼よりなるもので、例えば高速道路の側部に沿って所定間隔おきに立設され、ウエブ１ａが道路の縦断方向と直交するように配置される。
【００２３】
前面遮音パネル２は、図４及び図６に示すように、縦断面下向きコ字形の上枠７と、縦断面上向きコ字形の下枠８と、夫々横断面外向きコ字形の左右側枠９，９とからなる周枠１０内の表面側に、パンチングメタルよりなる表面板１１を配置し、その裏側に不織布１２を介して吸音材１３を配置することによって形成されるもので、図６に示すように左右各側枠９が支柱１の前面側フランジ部１ｂにボルト止めされる。吸音材１３は、ロックウールやグラスウール等からなるもので、樹脂フィルム製の収納袋に収納されている。
【００２４】
前面遮音パネル２を形成する周枠１０の裏面側には、図４に示すように、吸音材１３を背面側より表面板１１側に押し付けるための吸音材押え１４が設けてある。この吸音材押え１４は、上枠７と下枠８とに亘り斜めに架け渡して取り付けてあるが、上枠７と下枠８とに亘って垂直に取り付けてもよい。
【００２５】
前面遮音パネル２を形成する上枠７は、上壁部７ａと前後側壁７ｂ，７ｃとで縦断面下向きコ字形に形成されていて、上壁部７ａは、図４の(b) から分かるように、水平面ではなく、後端から前端側へ向かって上り傾斜状に形成されている。また下枠８は、底壁部８ａと前後側壁８ｂ，８ｃとで縦断面上向きコ字形に形成されていて、底壁部８ａも、水平面ではなく、後端から前端側へ向かって上り傾斜状に形成されている。そして、下枠８の背面側には、隣り合う支柱１，１間に上下複数段に取り付けられる際に下段側前面遮音パネル２の上枠７の背面に接するように差し込まれる差込支持片１５が突設されている。
【００２６】
背面遮音パネル３は、図５及び図７に示すように、上半部と下半部とに夫々山形膨出部１６ｍを形成すると共に両膨出部１６ｍ，１６ｍの間に谷部１６ｖを形成したパネル本体１６と、このパネル本体１６の内面側左右両端部に夫々取り付けられた側枠１７とからなるもので、パネル本体１６の下端部には、前面遮音パネル２と同様に、隣り合う支柱１，１間に背面遮音パネル３が複数段に取り付けられる際に下段側背面遮音パネル３の上端部背面に接するように差し込まれる差込支持片１８が突設されている。
【００２７】
また背面遮音パネル３の側枠１７は、図７に示すように、前面板部１７ａと、この前面板部１７ａの一側縁から直角に折曲されてパネル本体１６の断面形状に対応するように形成された端板部１７ｂと、この端板部１７ｂの先端縁部から直角に折曲された取付片部１７ｃとからなるもので、前面板部１７ａの上下両端部をパネル本体１６の上下両端部に固着し、端板部１７ｂをパネル本体１６の内面に添わせた状態で取付片部１７ｃをパネル本体１６にリベットで固定している。また図７に示すように、側枠１７の前面板部１７ａの上端部からパネル本体１６の上端部を貫通するボルト挿通孔１９が設けてあって、そのパネル本体１６側端部にナット２０が固着されている。
【００２８】
図８の(a) は伸縮部用遮音壁Ａの前面遮音パネル２Ａを示す正面図、(b) は平面図、(c) は左側面図、(d) は(a) のＹ−Ｙ線拡大断面図である。この前面遮音パネル２Ａは、橋梁部縦断方向に互いに伸縮スライド可能に接続された３つのパネル部材３１ａ，３２ａ，３１ａからなるもので、各パネル部材３１ａ，３２ａは、表面板部イ、イ′と、この表面板部イ、イ′の上端部に一体形成された縦断面下向きコ字形の上枠部ロ、ロ′と、表面板部イ、イ′の下端部に一体形成された縦断面Ｌ字形の下枠部ハ、ハ′と、からなり、そして各下枠部ハ、ハ′の背面側には、隣り合う支柱１，１間に前面遮音パネル２Ａが上下複数段に取り付けられる際に下段側前面遮音パネル２Ａの上端部背面側に接するように差し込まれる差込支持片１５，１５′が下向きに突設されている。また、パネル部材３１ａには左側端部又は右側端部に、標準部遮音壁Ｂの前面遮音パネル２に設けられる側枠９と同様な横断面コ字形の側枠ニが取り付けてあって、この側枠ニが、図６の(a) に示す前面遮音パネル２の場合と同じ方法で支柱１の表面側フランジ部１ｂにボルト止めされることになる。
【００２９】
また、図８の(a) 及び(d) から分かるように、パネル部材３１ａの表面板部イには上下２箇所に横長の長孔３３が設けてあって、この長孔３３からパネル部材３２ａの表面板部イ′にねじ込まれるボルト３４とこれに螺合されるナット３５により、パネル部材３１ａとパネル部材３２ａとが、所定範囲内で橋梁部縦断方向に互いに伸縮スライド可能に保持されている。尚、長孔３３は、その短径がボルト３４の直径より僅かに大きく形成されている。またナット３５は、パネル部材３１ａとパネル部材３２ａとが互いに伸縮スライドできる程度に締め付けられる。また、ボルト締付力の管理が困難な場合には、ボルト３４の軸部に円筒状のスペーサーを嵌装して、ボルト締付力がパネル部材３１ａとパネル部材３２ａに作用しないようにしてもよい。
【００３０】
また、前面遮音パネル２Ａの各パネル部材３１ａ，３２ａを形成する上枠部ロ、ロ′及び下枠部ハ、ハ′は、標準部遮音壁Ｂの前面遮音パネル２を形成する上枠７及び下枠８と同様に、夫々水平ではなく、夫々後端から前端側へ向かって上り傾斜面状に形成されている。この場合、上枠部ロ、ロ′の傾斜角度は、図８の(c) に示すように角度αが９８°〜１００°程度となるように設定するのが好ましく、また下枠部ハ、ハ′の傾斜角度は、同図に示すように角度βが８０°〜８２°程度となるように設定するのが好ましい。
【００３１】
図９の(a) は伸縮部用遮音壁Ａの背面遮音パネル３Ａを示す正面図、(b) は平面図、(c) は左側面図である。この背面遮音パネル３Ａは、前面遮音パネル２Ａと同じく、橋梁部縦断方向に互いに伸縮スライド可能に接続された３つのパネル部材３１ｂ，３２ｂ，３１ｂからなり、各パネル部材３１ｂ，３２ｂの下端部には、隣り合う支柱１，１間に背面遮音パネル３Ａが上下複数段に取り付けられる際に下段側背面遮音パネル３Ａの上端部前面側に接するように差し込まれる差込支持片１８が突設されている。この背面遮音パネル３Ａも、前面遮音パネル２Ａと同じく、パネル部材３１ａの上下２箇所に横長の長孔３３が設けてあって、この長孔３３からパネル部材３２ａにねじ込まれるボルト３４とこれに螺合されるナット３５により、パネル部材３１ａとパネル部材３２ａとが、所定範囲内で橋梁部縦断方向に互いに伸縮スライド可能に保持されている。
【００３２】
この背面遮音パネル３Ａのパネル部材３１ｂ，３２ｂは、図５及び図７に示される標準部遮音壁Ｂの背面遮音パネル３と概ね同じ構造である。そして図９の(b) に示すように、パネル部材３１ｂの上端部が支柱１の表面側フランジ部１ｃにボルト止めされるようになっている（図７参照）。
【００３３】
図１０及び図１１は、２つのパネル部材３１ａ，３２ａからなる前面遮音パネル２Ａと、２つのパネル部材３１ｂ，３２ｂからなる背面遮音パネル３Ａとによって構成される伸縮部用遮音壁Ａの前面遮音パネル２Ａ及び背面遮音パネル３Ａを示している。先ず、図１０の(a) は前面遮音パネル２Ａの正面図で、(b) は平面図、(c) は左側面図である。前面遮音パネル２Ａの各パネル部材３１ａ，３２ａは、表面板部イ、イ′と、表面板部イ、イ′の上端部に一体形成された縦断面下向きコ字形の上枠部ロ、ロ′と、表面板部イ、イ′の下端部に一体形成された縦断面Ｌ字形の下枠部ハ、ハ′と、からなり、そして各下枠部ハ、ハ′の背面側には、隣り合う支柱１，１間に前面遮音パネル２Ａが複数段に取り付けられる際に下段側前面遮音パネル２Ａの上端部背面側に接するように差し込まれる差込支持片１５，１５′が突設されている。パネル部材３１ａには左側端部又は右側端部に横断面コ字形の側枠ニが取り付けられる。
【００３４】
図１１の(a) は背面遮音パネル３Ａの正面図、(b) は平面図、(c) は左側面図である。この背面遮音パネル３Ａは、２つのパネル部材３１ｂ，３２ｂからなるもので、各パネル部材３１ｂ，３２ｂの下端部には、隣り合う支柱１，１間に背面遮音パネル３Ａが上下複数段に取り付けられる際に下段側背面遮音パネル３Ａの上端部前面側に接するように差し込まれる差込支持片１８，１８′が突設されている。
【００３５】
図１２の(a) は標準部遮音壁Ｂの下カバー６を示す平面図、(b) は正面図、(c) は端面図である。この下カバー６の両側縁に沿って立上片６ａ，６ａが突設され、この下カバー６の両端部は支柱１のフランジ部１ｂ，１ｃ間に嵌合するように幅狭に形成されていて、この幅狭部６ｏの両側縁に沿って立上片６ｂ，６ｂが突設されている。(d) は伸縮部用遮音壁Ａの下カバー６Ａを示す平面図である。この下カバー６Ａは、橋梁部縦断方向に互いに伸縮スライド可能に接続される３つのカバー部材６Ａ1 ，６Ａ2 ，６Ａ1 とらかなり、カバー部材６Ａ1 の両側縁には立上片６ａ，６ａが突設され、このカバー部材６Ａ1 の一端部は支柱１のフランジ部１ｂ，１ｃ間に嵌合するように幅狭に形成され、この幅狭部６ｏの両側縁に立上片６ｂ，６ｂが突設されており、そしてカバー部材６Ａ2 は幅広に形成され、その両側縁にはカバー部材６Ａ1 に他端部側にスライド自在に嵌合する立上片６ｃ，６ｃが突設されている。
【００３６】
上記のような構成部材からなる伸縮部用遮音壁Ａ及び標準部遮音壁Ｂの施工方法について、以下に説明する。
【００３７】
先に、標準部遮音壁Ｂの施工について図１３により説明すると、所要間隔おきに立設された横断面Ｈ形支柱１における隣り合う支柱１，１間の床Ｆ面側に下カバー６を配して、その両端部を支柱１のフランジ部１ｂ，１ｃ間に嵌合する。そして一段目の背面遮音パネル３を、隣り合う支柱１，１間の背面側フランジ部１ｃ，１ｃに沿った位置に配置して、この背面遮音パネル３の差込支持片１８を、下カバー６の背面側立上片６ａの内側面に係止させると共に、この背面遮音パネル３の左右各側枠１７の前面板部１７ａを、図８に示すように、支柱１の背面側フランジ部１ｃに当接させ、この状態で、当該フランジ部１ｃに設けてあるボルト挿通孔２１からボルト２２を背面遮音パネル３側のボルト挿通孔１９に通し、ナット２０に螺入して締め付けることにより、一段目背面遮音パネル３を支柱１に固定する。
【００３８】
次いで、二段目の背面遮音パネル３を、隣り合う支柱１，１の背面側から一段目の背面遮音パネル３の上側に持ち来して、この二段目背面遮音パネル３の差込支持片１８を、一段目背面遮音パネル３のパネル本体１６の上端部内面に接するように差し込んで、この背面遮音パネル３の左右各側枠１７の前面板部１７ａを支柱１の背面側フランジ部１ｃに当接させ、この状態で、フランジ部１ｃのボルト挿通孔２１からボルト２２を背面遮音パネル３側のボルト挿通孔１９に通し、ナット２０に螺入して締め付けることにより、二段目背面遮音パネル３を支柱１に固定する。以降同様にして三段目の背面遮音パネル３を支柱１に固定する。
【００３９】
こうして背面遮音パネル３を隣り合う支柱１，１間の背面側に複数段（ここでは三段）に取り付けた後、隣り合う支柱１，１間の前面側に前面遮音パネル２を取り付けていく。即ち、先ず、一段目の前面遮音パネル２の差込支持片１５を、図１３に示すように、下カバー６の前面側立上片６ａの内側面に係止させて、周枠１０の背面側左右各端部を、図６に示すように支柱１の前面側に当て付けた状態で、周枠１０の各側枠９を支柱１の前面側フランジ部１ｂにボルト２４止めする。
【００４０】
前面遮音パネル２の側枠９を支柱１の前面側フランジ部１ｂにボルト２４止めするにあたっては、図６に示すように、表面板１１の所要部位、側枠９を形成する前壁部９ａ及び後壁部９ｂの上端部側にボルト挿通孔１１ｂ，２５ａ，２５ｂを設けると共に、支柱１の前面側フランジ部１ｂにボルト挿通孔２６を設け、このボルト挿通孔２６にはナット２７付きのパネル固定用クリップ２８を図６(a) の仮想線図示のように取り付けておく。しかして、ボルト２４を表面板１１及び側枠９のボルト挿通孔１１ｂ，２５ａ，２５ｂから支柱フランジ部１ｂのボルト挿通孔２６を通してクリップ２８のナット２７に螺入し、締め付けることによって、前面遮音パネル２を支柱１にボルト止めする。表面板１１のボルト挿通孔１１ｂと側枠９のボルト挿通孔２５ａは、ボルト頭及びドライバーが挿通するように径大に形成されている。ボルト締め後は、ボルト挿通孔２５ａにはキャップＫが装着される（図４の(a) 参照）。
【００４１】
こうして一段目の前面遮音パネル２を取り付けた後に、二段目の前面遮音パネル２を、隣り合う支柱１，１の表面側から一段目前面遮音パネル２の上側に持ち来して、この二段目前面遮音パネル２の差込支持片１８を、図１３に示すように一段目前面遮音パネル２の上枠７の背面に接するように差し込み、この状態でボルト２４を表面板１１及び側枠９のボルト挿通孔１１ｂ，２５ａ，２５ｂから支柱フランジ部１ｂのボルト挿通孔２６を通してクリップ２８のナット２７に螺入し、締め付けることで二段目前面遮音パネル２を支柱１にボルト止めする。以降同様にして三段目の前面遮音パネル２を支柱１に固定する。
【００４２】
上記のように隣り合う支柱１，１間に背面遮音パネル３を複数段に取り付ける際には、背面遮音パネル３の下端部に突設した差込支持片１８を、下段側の背面遮音パネル３の上端部前面に接するように差し込むことによって、背面遮音パネル３の下端部を下段側背面遮音パネル３の上端部に固定できるから、各背面遮音パネル３は、上端部のみを支柱１のフランジ部１ｃにボルト２２止めすればよく、従って取付作業が非常に簡単となる。一段目の背面遮音パネル３については、差込支持片１８を下カバー６の背面側立上片６ａの内側面に係止させる。
【００４３】
また、前面遮音パネル２を支柱１，１間に複数段に取り付ける際にも、前面遮音パネル２の下枠８の背面側に突設した差込支持片１５を、下段側の前面遮音パネル２の上枠７の背面に接するように差し込むことによって、前面遮音パネル２の下端部を下段側前面遮音パネル２の上端部に固定できるから、各前面遮音パネル２は、その上端部のみを支柱１のフランジ部１ｂにボルト２４止めすればよく、従って取付作業が簡単となる。一段目の前面遮音パネル２については、差込支持片１５を下カバー６の前面側立上片６ａの内側面に係止させる。
【００４４】
上記のようにして前面遮音パネル２及び背面遮音パネル３を、隣り合う支柱１，１間の前面側と背面側とに夫々所要数段に取り付けた後、最上段の前面遮音パネル２及び背面遮音パネル３の上端部間を上カバー５で覆い、また隣り合う上カバー５，５の端部どうしを連結用上カバー５ｏで覆って、上カバー５と連結用上カバー５ｏとを支柱１のフランジ１ｂ，１ｃにボルト２９によって固定し、標準部遮音壁Ｂの施工を終了する。
【００４５】
次に、伸縮部用遮音壁Ａの施工について図１４を中心に他の図面を参照して説明すると、伸縮部用遮音壁Ａにおいて隣り合う支柱１，１間の床Ｆ面側に、図１２の(d) に示すような下カバー６Ａを配して、各カバー部材６Ａ1 の一端部を支柱１のフランジ部１ｂ，１ｃ間に嵌合すると共に、各カバー部材６Ａ1 の他端部に亘ってカバー部材６Ａ2 をスライド自在に嵌合する。この後、３つのパネル部材３１ｂ，３２ｂ，３１ｂからなる一段目の背面遮音パネル３Ａ（図９参照）を、隣り合う支柱１，１間の背面側フランジ部１ｃ，１ｃに沿った位置に配置して、各パネル部材３１ｂ，３２ｂの差込支持片１８，１８′を、下カバー６の背面側立上片６ａの内側面に係止させると共に、両側のパネル部材３１ｂ，３２ｂの夫々外側端部上面を、図９の(b) に示すように、支柱１の背面側フランジ部１ｃに当接させ、この状態で、図７に示す標準部遮音壁Ｂの背面遮音パネル３の場合と同様にボルト２２を背面遮音パネル３Ａ側のボルト挿通孔１９からナット２０に螺入して締め付けることにより、一段目背面遮音パネル３Ａを支柱１に固定する。
【００４６】
次いで、二段目の背面遮音パネル３Ａ（３つのパネル部材３１ｂ，３２ｂ，３１ｂからなる）を、隣り合う支柱１，１の背面側から一段目の背面遮音パネル３Ａの上側に持ち来して、各パネル部材３１ｂ，３２ｂの差込支持片１８，１８′を、一段目背面遮音パネル３Ａの各パネル部材３１ｂ，３２ｂの上端部内面に接するように差し込んで、両側のパネル部材３１ｂ，３２ｂの夫々外側端部上面を支柱１の背面側フランジ部１ｃに当接させ、一段目背面遮音パネル３Ａと同様にボルト２２を背面遮音パネル３Ａ側のボルト挿通孔１９からナット２０に螺入して締め付けることにより、一段目背面遮音パネル３Ａを支柱１に固定する。三段目の背面遮音パネル３も同様にして支柱１に固定する。
【００４７】
こうして背面遮音パネル３Ａを隣り合う支柱１，１間の背面側に複数段（例えば三段）に取り付けた後に、隣り合う支柱１，１間の前面側に前面遮音パネル２Ａを取り付ける。即ち、先ず、一段目の前面遮音パネル２Ａを構成する３つのパネル部材３１ａ，３２ａ，３１ａの差込支持片１５，１５′，１５を、図１４に示すように下カバー６Ａの前面側立上片６ａの内側面に係止させて、両側のパネル部材３１ａ，３１ａの夫々背面側外側端部を図８の(b) に示すように支柱１の前面側フランジ部１ｂに対し、図６に示す標準部遮音壁Ｂの前面遮音パネル２の場合と同じ方法でボルト２４止めする。
【００４８】
一段目の前面遮音パネル２Ａを取り付けた後、同じく３つのパネル部材３１ａ，３２ａ，３１ａからなる二段目の前面遮音パネル２Ａを、隣り合う支柱１，１の表面側から一段目前面遮音パネル２Ａの上側に持ち来して、この二段目前面遮音パネル２Ａの差込支持片１５，１５′を、図１４に示すように一段目前面遮音パネル２の上端部背面側に接するように差し込んで、この二段目前面遮音パネル２Ａを、上記一段目前面遮音パネル２Ａと同じ方法で支柱１にボルト２４止めする。三段目の前面遮音パネル２Ａも同様にして支柱１に固定する。
【００４９】
上記のようにして伸縮部用遮音壁Ａの前面遮音パネル２Ａ及び背面遮音パネル３Ａを、隣り合う支柱１，１間の前面側と背面側とに夫々所要数段に取り付けることによって伸縮部用遮音壁Ａの施工を終了するが、最上段の前面遮音パネル２Ａ及び背面遮音パネル３Ａの上端部間を、標準部遮音壁Ｂの場合と同様にカバーで覆うようにしてもよい。その場合のカバーは、前面遮音パネル２Ａ及び背面遮音パネル３Ａと同様に、橋梁部縦断方向に互いに伸縮スライド可能に接続された２つ又は３つのパネル部材で構成する。
【００５０】
こうして施工される伸縮部用遮音壁Ａによれば、前面遮音パネル２Ａ及び背面遮音パネル３Ａの夫々が、橋梁部縦断方向に互いに伸縮スライド可能に接続された２つ又は３つのパネル部材３１ａ，３２ａ及びパネル部材３１ｂ，３２ｂからなるため、橋梁部が気温の変化によって縦断方向に伸縮しても、前面遮音パネル２Ａ及び背面遮音パネル３Ａを夫々構成する２つ又は３つのパネル部材３１ａ，３２ａ及びパネル部材３１ｂ，３２ｂが互いに伸縮スライドして、遮音パネルの破損を防止することができる。
【００５１】
上述した実施形態では、遮音パネルを、隣り合う支柱間における騒音発生側に面する前面側に取り付けられる前面遮音パネル２Ａと、その背面側に取り付けられた背面遮音パネル３Ａとから構成しているが、本発明に係る遮音パネルは、この実施形態のように前面遮音パネル２Ａと背面遮音パネル３Ａとに分離することなく、両者を一体化した構造のものでもよい。但し、この実施形態のように、前面遮音パネル２Ａと背面遮音パネル３Ａとに分離された遮音パネルによれば、隣り合う両支柱１，１と前面遮音パネル２Ａと背面遮音パネル３Ａとによって形成される空間部が空気層となり、この空気層によって伸縮部用遮音壁Ａの吸音効果を向上させることができる。
【００５２】
また、この実施形態では、前面遮音パネル２Ａの各パネル部材３１ａ，３２ａが、表面板部イ，イ′と、表面板部イ，イ′の上端部及び下端部に夫々一体形成された上枠部ロ，ロ′及び下枠部ハ，ハ′とからなるため、各パネル部材３１ａ，３２ａの製作が容易になると共に、各パネル部材３１ａ，３２ａの構造的に頑強なものとなる。
【００５３】
またこの伸縮部用遮音壁Ａでは、前面遮音パネル２Ａのパネル部材３１ａ，３２ａを形成する下枠部ハ，ハ′の背面側に、隣り合う支柱１，１間に前面遮音パネル２Ａが上下複数段に取り付けられる際に下段側前面遮音パネル２Ａの上端部背面側に接するように差し込まれる差込支持片１５，１５′が突設されているから、前面遮音パネル２Ａを支柱１，１間に複数段に取り付ける際に、前面遮音パネル２Ａの差込支持片１５，１５′を下段側前面遮音パネル２Ａの上端部背面側に接するように差し込むことによって、前面遮音パネル２Ａの下端部を下段側前面遮音パネル２Ａの上端部に固定でき、それにより各前面遮音パネル２Ａは、その上端部のみを支柱１のフランジ部１ｂにボルト２４止めすればよく、従って取付作業が簡単となる。
【００５４】
また、前面遮音パネル２Ａの各パネル部材３１ａ，３２ａを形成する上枠部ロ，ロ′及び下枠部ハ，ハ′は、夫々水平ではなく、夫々後端から前端側へ向かって上り傾斜面状に形成されていることから、支柱１に対し複数段に取り付けてある前面遮音パネル２Ａ…の中間部の前面遮音パネル２Ａが破損した場合に、その破損した前面遮音パネル２Ａのみを取り外して、新しい前面遮音パネル２Ａとの取り替え作業を簡単に行うことができる。
【００５５】
即ち、複数段に取り付けられた前面遮音パネル２Ａ…の中間部の一つの前面遮音パネル２Ａを取り外す時に、上枠部ロ，ロ′及び下枠部ハ，ハ′が水平であれば、その中間部の前面遮音パネル２Ａをボルト２４を抜いて取り外そうとしても、差込支持片１５，１５′が下段側前面遮音パネル２Ａに引っ掛かって取外しできないが、上枠部ロ，ロ′及び下枠部ハ，ハ′が上り傾斜面状であるため、その前面遮音パネル２Ａを支柱１に固定しているボルト２４を抜き取った後、図１４の仮想線で示すように、当該前面遮音パネル２Ａを、下端部を中心に前方側へ適宜に揺動回転させた後、斜め上方へ引き上げることによって、容易に取り外すことができる。
【００５６】
また、背面遮音パネル３Ａの下端部には、隣り合う支柱１，１間に背面遮音パネル３Ａが上下複数段に取り付けられる際に下段側背面遮音パネル３Ａの上端部前面側に接するように差し込まれる差込支持片１８，１８′が突設されているから、隣り合う支柱１，１間に背面遮音パネル３Ａを複数段に取り付ける際に、背面遮音パネル３Ａの差込支持片１８を、下段側背面遮音パネル３Ａの上端部前面に接するように差し込むことによって、背面遮音パネル３Ａの下端部を下段側背面遮音パネル３Ａの上端部に固定でき、それによって各背面遮音パネル３Ａは、上端部のみを支柱１のフランジ部１ｃにボルト２２止めすればよく、従って取付作業が非常に簡単となる。
【図面の簡単な説明】
【００５７】
【図１】(a) は橋梁部の伸縮部用遮音壁Ａと標準部遮音壁Ｂを示す正面図、(b) は左側面図である。
【図２】(a) は伸縮部用遮音壁Ａ及び標準部遮音壁Ｂの背面図、(b) は左側面図である。
【図３】図１の(a) のＸ−Ｘ線拡大断面図である。
【図４】(a) は標準部遮音壁Ｂの前面遮音パネル２の一部破断正面図、(b) は左側面図である。
【図５】(a) は標準部遮音壁Ｂの背面遮音パネル３の正面図、(b) は左側面図である。
【図６】(a) は前面遮音パネル２を支柱のフランジ部に取り付ける状態を示す斜視図、(b) は前面遮音パネルの下枠を示す斜視図である。
【図７】背面遮音パネル３を支柱に取り付ける状態を示す斜視図である。
【図８】(a) は伸縮部用遮音壁Ａの前面遮音パネル２Ａを示す正面図、(b) は平面図、(c) は左側面図、(d) は(a) のＹ−Ｙ線拡大断面図である。
【図９】(a) は伸縮部用遮音壁Ａの背面遮音パネル３Ａを示す正面図、(b) は平面図、(c) は左側面図である。
【図１０】(a) は前面遮音パネル２Ａの正面図で、(b) は平面図、(c) は左側面図である。
【図１１】(a) は背面遮音パネル３Ａの正面図、(b) は平面図、(c) は左側面図である。
【図１２】(a) は標準部遮音壁Ｂの下カバー６を示す平面図、(b) は正面図、(c) は端面図であり、(d) は伸縮部用遮音壁Ａの下カバー６Ａを示す平面図である。
【図１３】標準部遮音壁Ｂの拡大詳細縦断面図である。
【図１４】伸縮部用遮音壁Ａの拡大詳細縦断面図である。
【符号の説明】
【００５８】
１                支柱
Ａ                伸縮部用遮音壁
Ｂ                標準部遮音壁
２Ａ              前面遮音パネル
３Ａ              背面遮音パネル
１５，１５′      差込支持片
１８，１８′      差込支持片
３１ａ，３２ａ    パネル部材
３１ｂ，３２ｂ    パネル部材
イ，イ′          表面板部
ロ，ロ′          上枠部
ハ，ハ′          下枠部
【図１】
2007126930.tif 000003
【図２】
2007126930.tif 000004
【図３】
2007126930.tif 000005
【図４】
2007126930.tif 000006
【図５】
2007126930.tif 000007
【図６】
2007126930.tif 000008
【図７】
2007126930.tif 000009
【図８】
2007126930.tif 000010
【図９】
2007126930.tif 000011
【図１０】
2007126930.tif 000012
【図１１】
2007126930.tif 000013
【図１２】
2007126930.tif 000014
【図１３】
2007126930.tif 000015
【図１４】
2007126930.tif 000016